(57)【要約】 【課題】洗面キャビネットを任意の方向に簡単に移動することができる洗面キャビネットの取付構造を提供することを目的とする。 【解決手段】  洗面キャビネット１２は収納部１３と鏡扉１４を備る。鏡扉１４は対角面１３ａに取付される一対の丁番１５によって開閉自由に固着される。収納部１３の上部材１６に懸垂部１７を備える丸棒の吊金具１８が固着される。懸垂部１７は円盤形状で円盤１７ａの上面１７ｂ、下面１７ｃ、円周外縁部１７ｄにボールベアリング１９が装着される。ここで、洗面キャビネット１２を懸垂部１７を介して懸垂するレール部２１が天井面２２に設けられる。レール部２１は、リップ溝形鋼の溝を縦横に連通してなる十字形状リップ溝形鋼２１ａを複数組形成しこれら十字形状リップ溝形鋼２１ａが天井面２２に沿って縦横方向に複数組連結して形成される。【選択図】  図１
2007195691.tif 000002
【特許請求の範囲】
【請求項１】
収納部と鏡扉を備える洗面キャビネットであって、
前記収納部の上部に懸垂部を備える吊金具を設け、前記洗面キャビネットを前記懸垂部を介して懸垂するレール部が天井面に設けられ、前記懸垂部は円盤形状で円盤の上下面及び円周外縁部にベアリングが装着され、前記レール部はリップ溝形鋼で形成されることを特徴とする洗面キャビネット。
【請求項２】
請求項１に記載の洗面キャビネットであって、前記レール部は、リップ溝形鋼の溝を縦横に連通してなる十字形状リップ溝形鋼を複数組形成しこれら十字形状リップ溝形鋼が縦横方向に複数組連結して形成されることを特徴とする洗面キャビネット。
【請求項３】
請求項２に記載の洗面キャビネットであって、前記十字形状リップ溝形鋼の縦横方向の各開口端部の底部に、この開口端部から突出する凸片又は開口端部の内部に向けて凹溝が形成され、隣接する前記十字形状リップ溝形鋼がそれぞれの前記凸片と凹溝との嵌合により連結されることを特徴とする洗面キャビネット。
【請求項４】
請求項１乃至請求項３のいずれか１項に記載の洗面キャビネットであって、前記収納部は箱型形状でその一面に前記鏡扉が設けられることを特徴とする洗面キャビネット。
【請求項５】
請求項１乃至請求項３のいずれか１項に記載の洗面キャビネットであって、前記収納部は箱型形状でその内部が対角面で四区画され、それぞれの区画に前記鏡扉が設けられることを特徴とする洗面キャビネット。
【請求項６】
請求項４に記載の洗面キャビネットであって、前記洗面キャビネットが複数組の洗面キャビネットで形成されることを特徴とする洗面キャビネット。
【発明の詳細な説明】
【技術分野】
【０００１】
本発明は、洗面キャビネットの取付構造に関し、詳しくは、簡単な操作で洗面キャビネットを任意の位置に移動可能な洗面キャビネットの取付構造に関する。
【背景技術】
【０００２】
従来、洗面キャビネットは壁面の決まった場所に固定されるので、使用者はその場所以外で洗面キャビネットを使用できないので使用勝手が不自由であるという問題があった。
【０００３】
この問題を解決するため、従来技術として特許文献１に記載の内容が知られている。図６、図７に示すように、特許文献１の洗面キャビネット１はその上部に４組の吊金具７がビス等の固定具１２を用いて取付けられ、吊金具７の上部には一対のローラー状の回転輪８を備えている。
【０００４】
天井面１１には、断面略Ｃ字型のリップ溝形鋼で形成される２本のレール４が、図示しないビス等の固定具を用いて平行に取付けられる。  
【０００５】
このため、回転輪８をレール４に懸架された洗面キャビネット１は任意の位置までスライド自在なので、使用者は洗面キャビネット１を使用し易い位置までスライドさせてから、洗面キャビネット１に設けられる扉９を開放して収納部２から所望物を簡単に出し入れすることができる。
【特許文献１】特開２００３−１５５８２６号公報
【発明の開示】
【発明が解決しようとする課題】
【０００６】
しかしながら、洗面キャビネット１がレール４に沿って直線的に移動するだけなので、洗面キャビネット１を必ずしも使用者にとっての所望の位置で使用できる構成ではないので、洗面キャビネット１の収納部２や扉９が使用しにくい場合があるという問題があった。
【０００７】
そこで、本発明は上記問題点を解決して、洗面キャビネットを使用者にとって好ましい任意の位置に簡単に移動することができる洗面キャビネットの取付構造を提供することを目的とする。
【課題を解決するための手段】
【０００８】
請求項１の発明は、収納部と鏡扉を備える洗面キャビネットであって、前記収納部の上部に懸垂部を備える吊金具を設け、前記洗面キャビネットを前記懸垂部を介して懸垂するレール部が天井面に設けられ、前記懸垂部は円盤形状で円盤の上下面及び円周外縁部にベアリングが装着され、前記レール部はリップ溝形鋼で形成されることを特徴としている。
【０００９】
請求項２の発明は、請求項１に記載の洗面キャビネットであって、前記レール部は、リップ溝形鋼の溝を縦横に連通してなる十字形状リップ溝形鋼を複数組形成しこれら十字形状リップ溝形鋼が縦横方向に複数組連結して形成されることを特徴としている。
【００１０】
請求項３の発明は、請求項２に記載の洗面キャビネットであって、前記十字形状リップ溝形鋼の縦横方向の各開口端部の底部に、この開口端部から突出する凸片又は開口端部の内部に向けて凹溝が形成され、隣接する前記十字形状リップ溝形鋼がそれぞれの前記凸片と凹溝との嵌合により連結されることを特徴としている。
【００１１】
請求項４の発明は、請求項１乃至請求項３のいずれか１項に記載の洗面キャビネットであって、前記収納部は箱型形状でその一面に前記鏡扉が設けられることを特徴としている。
【００１２】
請求項５の発明は、請求項１乃至請求項３のいずれか１項に記載の洗面キャビネットであって、前記収納部は箱型形状でその内部が対角面で四区画され、それぞれの区画に前記鏡扉が設けられることを特徴としている。
【００１３】
請求項６の発明は、請求項４に記載の洗面キャビネットであって、前記洗面キャビネットが複数組の洗面キャビネットで形成されることを特徴としている。
【発明の効果】
【００１４】
請求項１の発明によれば、収納部と鏡扉を備える洗面キャビネットであって、前記収納部の上部に懸垂部を備える吊金具を設け、前記洗面キャビネットを前記懸垂部を介して懸垂するレール部が天井面に設けられ、前記懸垂部は円盤形状で円盤の上下面及び円周外縁部にベアリングが装着され、前記レール部はリップ溝形鋼で形成されるので、洗面キャビネットを前記レール部によって簡単に移動できるとともに懸垂部が水平面内に３６０度回転自在である。このため、使用者は前記洗面キャビネット（収納部、鏡扉）を任意の位置まで簡単に移動して任意の方向から使用することができるので使い勝手が向上する。時間や生活スタイルに合わせて鏡扉のレイアウトを自由に移動、回転できるので利便性が向上する。
【００１５】
請求項２の発明によれば、請求項１に記載の洗面キャビネットであって、前記レール部は、リップ溝形鋼の溝を縦横に連通してなる十字形状リップ溝形鋼を複数組形成しこれら十字形状リップ溝形鋼が縦横方向に複数組連結して形成されるので、前記洗面キャビネットはレール部の可動範囲に沿って水平面内を自由に移動できる。このため、使用者の好ましい水平面内の任意の位置に前記洗面キャビネットを容易に移動することができるので、さらに広域に使い勝手が向上する。
【００１６】
請求項３の発明によれば、請求項２に記載の洗面キャビネットであって、前記十字形状リップ溝形鋼の縦横方向の各開口端部の底部に、この開口端部から突出する凸片又は開口端部の内部に向けて凹溝が形成され、隣接する前記十字形状リップ溝形鋼がそれぞれの前記凸片と凹溝との嵌合により連結されるので、複数の前記十字形状リップ溝形鋼を相互に連結することができる。このため複数の前記十字形状リップ溝形鋼によって、前記レール部を水平面内で升目状に広がる領域に形成できるので、請求項２の発明の効果と同じ効果が得られる。
【００１７】
請求項４の発明によれば、請求項１乃至請求項３のいずれか１項に記載の洗面キャビネットであって、前記収納部は箱型形状でその一面に前記鏡扉が設けられるので、請求項１、請求項２、及び請求項３の効果と同じ効果が得られる。
【００１８】
請求項５の発明によれば、請求項１乃至請求項３のいずれか１項に記載の洗面キャビネットであって、前記収納部は箱型形状でその内部が対角面で四区画され、それぞれの区画に前記鏡扉が設けられるので、それぞれ四区画を利用して整理し易いので利便性が向上する。
【００１９】
請求項６の発明によれば、請求項４に記載の洗面キャビネットであって、前記洗面キャビネットが複数組の洗面キャビネットで形成されるので、任意の位置で複数組の鏡扉を配置して使用できる。このため、例えば、通常の三面鏡として使用できるとともに、使用者の前後に配置するとさらに立体的な鏡として使用することができるので、請求項１の発明の効果と同じ効果が得られる。
【発明を実施するための最良の形態】
【００２０】
以下に、本発明の第１の実施形態を図１〜図４に基づいて説明する。
【００２１】
＜洗面キャビネットの構成＞  
図１、図２、図３、図４に示すように、洗面キャビネット１２は収納部１３と鏡扉１４を備え、収納部１３は箱型形状でその内部が対角面１３ａで四区画され、それぞれの区画１３ｂに鏡扉１４が設けられる。鏡扉１４は対角面１３ａに取付られる一対の丁番１５によって開閉自由に固着される。
【００２２】
収納部１３の上部材１６に懸垂部１７を備える丸棒の吊金具１８が固着される。懸垂部１７は高さＳ、直径Ｔの円盤形状で円盤１７ａの上面１７ｂ、下面１７ｃ、及び円周外縁部１７ｄにそれぞれボールベアリング１９が装着される。ボールベアリング１９の数はそれぞれの領域において円盤１７ａの中心線Ｑ−Ｑ周りに６０度の角度で合計６個設けられる。
【００２３】
そして、天井面２２には洗面キャビネット１２を懸垂部１７を介して懸垂するレール部２１が設けられる。レール部２１は、リップ溝形鋼の溝を縦横に連通してなる十字形状リップ溝形鋼２１ａを複数組形成し、これら十字形状リップ溝形鋼２１ａを天井面２２に沿って縦横方向に複数組連結することにより広範囲の領域を形成することができる。
【００２４】
十字形状リップ溝形鋼２１ａを相互に連結するために、十字形状リップ溝形鋼２１ａの縦横方向の各開口端部２１ｃの底部２１ｄに、この開口端部２１ｃから突出する凸片２３又は開口端部２１ｃから内部に向けて凹溝２４が形成される。そして、隣接する十字形状リップ溝形鋼２１ａのそれぞれの凸片２３と凹溝２４とを矢印Ｐのように挿入嵌合して連結される。
【００２５】
レール部２１の外周端部には凸片２３付のエンドキャップ２５を挿入することで、懸垂部１７が離脱して洗面キャビネット１２が落下するのを防止できる。
【００２６】
レール部２１の天井面２２への固定はそれぞれの十字形状リップ溝形鋼２１ａの中心に形成される取付孔２６を用いて図示しないボルト等の固着具にて固定される。なお、天井面２２が水平でない場合には、図示しない高さ調整材を用いてレール部２１が水平になるように調整して天井面２２に取付ける。
【００２７】
十字形状リップ溝形鋼２１ａの断面内法寸法である幅Ｔ１ｘ高さＳ１は、懸垂部１７の円盤１７ａの上面１７ｂ、下面１７ｃ及び円周外縁部１７ｄに装着された回転自在の各ボールベアリング１９が十字形状リップ溝形鋼２１ａの対応するそれぞれの内面２１ｂに隙間なく当接する寸法に設定される。
【００２８】
また、十字形状リップ溝形鋼２１ａのリップ間隙Ｕと吊金具１８の直径Ｖは、Ｕ＞Ｖの関係である。
【００２９】
なお、懸垂部１７は任意の位置までレール部２１を移動した後に、図示しないストッパーによって円盤１７ａを介してレール部２１に固定される。そして、ストッパーを解除することで、いつでも懸垂部１７をレール部２１領域内の任意の位置までを移動して洗面キャビネット１２を使用することができる。
【００３０】
＜洗面キャビネットの作用＞
上記のように、懸垂部１７は円盤形状の上面１７ｂ、下面１７ｃ、円周外縁部１７ｄにボールベアリング１９が装着されるので、洗面キャビネット１２はレール部２１によって垂直に安定保持されながら水平面内を自由に移動できる。さらに、懸垂部１７が垂直軸周りに３６０度回転自在である。
【００３１】
このため、使用者は洗面キャビネット１２を任意の位置で固定できるとともに、任意の角度から洗面キャビネット１２（収納部１３、鏡扉１４）を使用することができるので使い勝手が著しく向上する。壁面が不要なので、窓位置等の建物条件の影響を避けて自由な位置に固定することができる。
【００３２】
洗面キャビネット１２の収納部１３は箱型形状でその内部が対角面１３ａで四区画され、それぞれの区画１３ｂに鏡扉１４が設けられるので、さらに細かく整理することができるので利便性が向上する。
【００３３】
＜本発明の第２の実施形態＞
以下に、本発明の第２の実施形態を図５に基づいて説明するが、図１、図２、図３、図４に示す洗面化粧台の構成と同構成部分については、図面に同符号を付して重複した説明を省略する。
【００３４】
図５に示すように、洗面キャビネット３０は３組の箱型形状の洗面キャビネット３０ａ、３０ｂ、３０ｃを一列にして配置し、それぞれの一面に鏡扉１４が設けられる。洗面キャビネット３０ａ、３０ｃの幅はＳ１、洗面キャビネット３０ｂの幅はＳで、Ｓ＞Ｓ１に形成される。このため、使用者は洗面キャビネット３０を自由な位置で固定して三面鏡として用いることができる。
【００３５】
以上、本発明の実施形態を図面に基づいて説明したが、上記の実施例はいずれも本発明の一例を示したものであり、本発明はこれらに限定されるべきでないということは言うまでもない。
【００３６】
たとえば、懸垂部１７のボールベアリング１９は、ボール以外のベアリングを用いることも可能である。ボールベアリング１９の数は円盤１７ａの中心線Ｑ−Ｑ周りに合計６個設ける代わりに、６個を超える数で設けてもよい。
【００３７】
洗面キャビネット１２は鏡扉１４を備えない収納部１３のみから成る構造でも、収納部１３と鏡のない扉から成る構造でも構わない。３組の洗面キャビネット３０ａ、３０ｂ、３０ｃの幅Ｓ、Ｓ１は同じでもよく、それぞれを異なる幅で形成しても構わない。
【００３８】
洗面キャビネット３０の３組の箱型形状の洗面キャビネット３０ａ、３０ｂ、３０ｃはそれぞれ隙間を設けて配置しても良く、互いに角度を付けて配置しても良い。これにより、従来の固定された三面鏡に比べて、使用者の姿をより広範囲に映すことができるので、身だしなみを確認するための利便性がさらに向上する。
【００３９】
また、３組の洗面キャビネット３０ａ、３０ｂ、３０ｃを使用者の前後から挟む形で配置すると、使用者の横や後からの姿をさらに広範囲に映すことができるので、個性的な創造性に富む三面鏡として使用できるので付加価値を高めることができる。
【００４０】
３組の洗面キャビネットに追加して、さらに洗面キャビネットを必要に応じて追加することにより収納量を容易に増やすことができる。
【図面の簡単な説明】
【００４１】
【図１】本発明の第１の実施形態における、洗面キャビネット１２が吊金具１８を介して天井面２２に設けられたレール部２１に懸垂された状態を示す斜視図である。
【図２】本発明の第１の実施形態における、図１のＡ−Ａ詳細断面図である。
【図３】本発明の第１の実施形態における、鏡扉１４が取付られていない状態における収納部１３の斜視図である。
【図４】本発明の第１の実施形態における、複数の十字形状リップ溝形鋼２１ａが接続される状態を示す詳細斜視図である。
【図５】本発明の第２の実施形態における、三組の洗面キャビネット３０ａ、３０ｂ、３０ｃで構成される洗面キャビネット３０の配置状態を示す斜視図である
【図６】従来例における、洗面キャビネット１が吊金具７を介して天井面１１に設けられたレール４に懸垂される状態を示す正面図である。
【図７】図６に示す洗面キャビネット１と吊金具７の取付状態を示す斜視図である。
【符号の説明】
【００４２】
１２  洗面キャビネット
１３  収納部
１３ａ  対角面
１４  鏡扉
１５  丁番
１６  上部材
１７  懸垂部
１７ａ  円盤
１７ｂ  上面
１７ｃ  下面
１７ｄ  円周外縁部
１８  吊金具
１９  ボールベアリング
２１  レール部
２２  天井面
２１ａ  十字形状リップ溝形鋼
【図１】
2007195691.tif 000003
【図２】
2007195691.tif 000004
【図３】
2007195691.tif 000005
【図４】
2007195691.tif 000006
【図５】
2007195691.tif 000007
【図６】
2007195691.tif 000008
【図７】
2007195691.tif 000009